(57)【要約】【課題】睡眠障害を容易にかつ客観的に判別する方法および装置を提供する。【解決手段】本発明の睡眠障害を判別する方法は、被検者の身長方向の加速度ＴＡを計測するステップと、所定の条件により、負加速度ＮＡを算出して、第１臥位時間帯、間隙時間帯、第２臥位時間帯および睡眠時間帯を算出するステップと、睡眠時間帯のうち間隙時間帯の有無、または第１臥位時間帯と第２臥位時間帯の合計時間から睡眠時間帯の時間を除いた第３臥位時間帯の有無を検出するステップと、を有する。【選択図】なし【特許請求の範囲】
【請求項１】
被検者の身長方向の加速度ＴＡを計測するステップと、
下記条件（１）〜（３）により、負加速度ＮＡを算出して、第１臥位時間帯、間隙時間帯、第２臥位時間帯および睡眠時間帯を算出するステップと、
前記睡眠時間帯のうち前記間隙時間帯の有無、または前記第１臥位時間帯と前記第２臥位時間帯の合計時間から前記睡眠時間帯の時間を除いた第３臥位時間帯の有無を検出するステップと、を有することを特徴とする睡眠障害を判別する方法。
［条件：
（１）負加速度ＮＡの算出
被検者の立位時においてＴＡ≧０の場合、ＮＡ＝（−１）×（ＴＡ）
被検者の立位時においてＴＡ＜０の場合、ＮＡ＝ＴＡ
（２）第１臥位時間帯、間隙時間帯、第２臥位時間帯の算出
第１臥位時間帯Ｌm1：ＮＡ≧Ｃ１（Ｃ１は定数）が第１所定時間Ｔ1以上である時間帯
間隙時間帯Ｌsm：前記第１臥位時間帯Ｌm1が２以上あって、隣り合う２つの第１臥位時間帯Ｌm11、Ｌm12の間のＮＡ＜Ｃ１が第２所定時間Ｔ2以内である時間帯
第２臥位時間帯Ｌm2：前記隣り合う２つの第１臥位時間帯Ｌm11、Ｌm12と前記間隙時間帯Ｌsmを合計した時間帯
（３）睡眠時間帯の算出
睡眠時間帯：所定計測単位時間中、前記第１臥位時間帯Ｌm1と、前記第２臥位時間帯Ｌm2のうち最長の時間帯］
【請求項２】
前記第１所定時間Ｔ1および前記第２所定時間Ｔ2がそれぞれ３０分以上２時間以下である請求項１に記載の方法。
【請求項３】
前記睡眠時間帯のうち前記間隙時間帯の有無、および前記第３臥位時間帯の有無を検出する請求項１または２に記載の方法。
【請求項４】
さらに、前記睡眠時間帯の開始前の第３所定時間Ｔ3以内にＮＡ≧Ｃ１であった時間帯の有無を検出するステップを有する請求項１〜３のいずれか一項に記載の方法。
【請求項５】
前記第３所定時間Ｔ3が３０分以上２時間以下である請求項４に記載の方法。
【請求項６】
さらに、前記睡眠時間帯の終了後の第４所定時間Ｔ4以内にＮＡ≧Ｃ１であった時間帯の有無を検出するステップを有する請求項１〜５のいずれか一項に記載の方法。
【請求項７】
前記第４所定時間Ｔ4が３０分以上２時間以下である請求項６に記載の方法。
【請求項８】
さらに、前記第３臥位時間帯の合計時間の長さを検出するステップを有する請求項１〜７のいずれか一項に記載の方法。
【請求項９】
さらに、前記第３臥位時間帯の個数を検出するステップを有する請求項１〜８のいずれか一項に記載の方法。
【請求項１０】
睡眠時間帯を算出する時間算出部と、
睡眠障害を判別する判別部を有しており、
前記時間算出部は、下記条件（１）〜（３）により、被検者の身長方向の加速度ＴＡから負加速度ＮＡを算出して、第１臥位時間帯、間隙時間帯、第２臥位時間帯および睡眠時間帯を算出するものであり、
前記判別部は、前記睡眠時間帯のうち前記間隙時間帯の有無と、前記第１臥位時間帯と前記第２臥位時間帯の合計時間から前記睡眠時間帯の時間を除いた第３臥位時間帯の有無の少なくともいずれか一方を検出するものであることを特徴とする睡眠障害を判別する装置。
［条件：
（１）負加速度ＮＡの算出
被検者の立位時においてＴＡ≧０の場合、ＮＡ＝（−１）×（ＴＡ）
被検者の立位時においてＴＡ＜０の場合、ＮＡ＝ＴＡ
（２）第１臥位時間帯、間隙時間帯、第２臥位時間帯の算出
第１臥位時間帯Ｌm1：ＮＡ≧Ｃ１（Ｃ１は定数）が第１所定時間Ｔ1以上である時間帯
間隙時間帯Ｌsm：前記第１臥位時間帯Ｌm1が２以上あって、隣り合う２つの第１臥位時間帯Ｌm11、Ｌm12の間のＮＡ＜Ｃ１が第２所定時間Ｔ2以内である時間帯
第２臥位時間帯Ｌm2：前記隣り合う２つの第１臥位時間帯Ｌm11、Ｌm12と前記間隙時間帯Ｌsmを合計した時間帯
（３）睡眠時間帯の算出
睡眠時間帯：所定計測単位時間中、前記第１臥位時間帯Ｌm1と、前記第２臥位時間帯Ｌm2のうち最長の時間帯］
【請求項１１】
前記判別部が、前記睡眠時間帯の開始前の第３所定時間Ｔ3以内にＮＡ≧Ｃ１であった時間帯の有無、前記睡眠時間帯の終了後の第４所定時間Ｔ4以内にＮＡ≧Ｃ１であった時間帯の有無、前記第３臥位時間帯の合計時間の長さの少なくともいずれか１つを検出するものである請求項１０に記載の装置。
【発明の詳細な説明】
【技術分野】
【０００１】
本発明は、睡眠障害を客観的に判別する方法および装置に関する。
【背景技術】
【０００２】
睡眠状態を観察することは、病気の早期発見や適切な治療のために有効であることが知られている。睡眠時間帯や睡眠状態は、被検者の申告によって調査することができ、例えば睡眠障害の評価には、ピッツバーグ睡眠質問票（Pittsburgh Sleep Quality Index：PSQI）が使用される。ＰＳＱＩでは、睡眠の質、入眠時間、睡眠時間、睡眠効率、睡眠困難、睡眠薬の使用、日中覚醒困難の７要素の合計得点を算出する。しかし、このような問診による方法の回答には被検者の主観が入り込む余地があるため、客観的かつ機械的に判別できる方法が望まれている。例えば、特許文献１には、睡眠障害、冷え性、疲労及び更年期症状からなる群より選択される少なくとも２つの不定愁訴症状の評価のための指標を取得する方法であって、睡眠障害、冷え性、疲労及び更年期症状からなる群より選択される少なくとも２つの不定愁訴症状の各々に対応する少なくとも２つの多変量解析の回帰式の各々に対して、被験者に関する少なくとも２つのパラメーターを代入し、該被験者についての、該少なくとも２つの不定愁訴症状の評価のための指標を算出することを含む方法が開示されている。
【先行技術文献】
【特許文献】
【０００３】
【特許文献１】特開２０１７−３８７５９号公報
【発明の概要】
【発明が解決しようとする課題】
【０００４】
そこで、本発明は、睡眠障害を容易にかつ客観的に判別する方法および装置を提供することを目的とする。
【課題を解決するための手段】
【０００５】
上記目的を達成し得た本発明の睡眠障害を判別する方法は、被検者の身長方向の加速度ＴＡを計測するステップと、下記条件（１）〜（３）により、負加速度ＮＡを算出して、第１臥位時間帯、間隙時間帯、第２臥位時間帯および睡眠時間帯を算出するステップと、睡眠時間帯のうち間隙時間帯の有無、または第１臥位時間帯と第２臥位時間帯の合計時間から睡眠時間帯の時間を除いた第３臥位時間帯の有無を検出するステップと、を有することを特徴とする。
［条件：
（１）負加速度ＮＡの算出
被検者の立位時においてＴＡ≧０の場合、ＮＡ＝（−１）×（ＴＡ）
被検者の立位時においてＴＡ＜０の場合、ＮＡ＝ＴＡ
（２）第１臥位時間帯、間隙時間帯、第２臥位時間帯の算出
第１臥位時間帯Ｌm1：ＮＡ≧Ｃ１（Ｃ１は定数）が第１所定時間Ｔ1以上である時間帯
間隙時間帯Ｌsm：第１臥位時間帯Ｌm1が２以上あって、隣り合う２つの第１臥位時間帯Ｌm11、Ｌm12の間のＮＡ＜Ｃ１が第２所定時間Ｔ2以内である時間帯
第２臥位時間帯Ｌm2：隣り合う２つの第１臥位時間帯Ｌm11、Ｌm12と間隙時間帯Ｌsmを合計した時間帯
（３）睡眠時間帯の算出
睡眠時間帯：所定計測単位時間中、第１臥位時間帯Ｌm1と、第２臥位時間帯Ｌm2のうち最長の時間帯］
【０００６】
上記方法は、条件（１）〜（３）を有しているため、睡眠時間帯の算出を客観的にかつ精度よく行うことができる。また、上記方法は、簡単に測定可能なパラメータである被検者の臥位姿勢の時間から算出される間隙時間帯または第３臥位時間帯の少なくともいずれか一方により、睡眠障害を客観的かつ容易に判別することができる。
【０００７】
上記方法において、第１所定時間Ｔ1および第２所定時間Ｔ2がそれぞれ３０分以上２時間以下であることが好ましい。
【０００８】
上記方法において、睡眠時間帯のうち間隙時間帯の有無、および第３臥位時間帯の有無を検出することが好ましい。
【０００９】
上記方法は、さらに、睡眠時間帯の開始前の第３所定時間Ｔ3以内にＮＡ≧Ｃ１であった時間帯の有無を検出するステップを有することが好ましい。
【００１０】
上記方法において、第３所定時間Ｔ3が３０分以上２時間以下であることが好ましい。
【００１１】
上記方法は、さらに、睡眠時間帯の終了後の第４所定時間Ｔ4以内にＮＡ≧Ｃ１であった時間帯の有無を検出するステップを有することが好ましい。
【００１２】
上記方法において、第４所定時間Ｔ4が３０分以上２時間以下であることが好ましい。
【００１３】
上記方法は、さらに、第３臥位時間帯の合計時間の長さを検出するステップを有することが好ましい。
【００１４】
上記方法は、さらに、第３臥位時間帯の個数を検出するステップを有することが好ましい。
【００１５】
また、本発明の睡眠障害を判別する装置は、睡眠時間帯を算出する時間算出部と、睡眠障害を判別する判別部を有しており、時間算出部は、下記条件（１）〜（３）により、被検者の身長方向の加速度ＴＡから負加速度ＮＡを算出して、第１臥位時間帯、間隙時間帯、第２臥位時間帯および睡眠時間帯を算出するものであり、判別部は、睡眠時間帯のうち間隙時間帯の有無と、第１臥位時間帯と第２臥位時間帯の合計時間から睡眠時間帯の時間を除いた第３臥位時間帯の有無の少なくともいずれか一方を検出するものであることを特徴とする。
［条件：
（１）負加速度ＮＡの算出
被検者の立位時においてＴＡ≧０の場合、ＮＡ＝（−１）×（ＴＡ）
被検者の立位時においてＴＡ＜０の場合、ＮＡ＝ＴＡ
（２）第１臥位時間帯、間隙時間帯、第２臥位時間帯の算出
第１臥位時間帯Ｌm1：ＮＡ≧Ｃ１（Ｃ１は定数）が第１所定時間Ｔ1以上である時間帯
間隙時間帯Ｌsm：第１臥位時間帯Ｌm1が２以上あって、隣り合う２つの第１臥位時間帯Ｌm11、Ｌm12の間のＮＡ＜Ｃ１が第２所定時間Ｔ2以内である時間帯
第２臥位時間帯Ｌm2：隣り合う２つの第１臥位時間帯Ｌm11、Ｌm12と間隙時間帯Ｌsmを合計した時間帯
（３）睡眠時間帯の算出
睡眠時間帯：所定計測単位時間中、第１臥位時間帯Ｌm1と、第２臥位時間帯Ｌm2のうち最長の時間帯］
【００１６】
上記装置の時間算出部では、条件（１）〜（３）により、睡眠時間帯の算出を客観的にかつ精度よく行うことができる。また、判別部では、簡単に測定可能なパラメータである被検者の臥位姿勢の時間から算出される間隙時間帯または第３臥位時間帯の少なくともいずれか一方により、客観的かつ容易に睡眠障害を判別することができる。
【００１７】
上記装置において、判別部が、睡眠時間帯の開始前の第３所定時間Ｔ3以内にＮＡ≧Ｃ１であった時間帯の有無、睡眠時間帯の終了後の第４所定時間Ｔ4以内にＮＡ≧Ｃ１であった時間帯の有無、第３臥位時間帯の合計時間の長さの少なくともいずれか１つを検出するものであることが好ましい。
【発明の効果】
【００１８】
本発明の睡眠障害を判別する方法および装置によれば、睡眠時間帯の算出を客観的にかつ精度よく行うことができる。このため、簡単に測定可能なパラメータである被検者の臥位姿勢の時間から算出される間隙時間帯の有無、または第３臥位時間帯の有無の少なくともいずれか一方により、睡眠障害を客観的かつ容易に判別することができる。
【図面の簡単な説明】
【００１９】
【図１】本発明の実施の形態に係る睡眠障害を判別する装置の構成を示すブロック図を表す。
【図２】各種姿勢での被検者のＹ軸方向の加速度のグラフを表す。
【発明を実施するための形態】
【００２０】
１．睡眠障害を判別する方法
本発明の睡眠障害を判別する方法は、被検者の身長方向の加速度ＴＡを計測するステップと、後述する条件（１）〜（３）により、負加速度ＮＡを算出して、第１臥位時間帯、間隙時間帯、第２臥位時間帯および睡眠時間帯を算出するステップと、睡眠時間帯のうち間隙時間帯の有無、または第１臥位時間帯と第２臥位時間帯の合計時間から睡眠時間帯の時間を除いた第３臥位時間帯の有無を検出するステップと、を有する。各ステップの詳細について説明する。
【００２１】
（Ａ）計測ステップ
上記方法は、被検者の身長方向の加速度ＴＡを計測するステップを有する。身長方向とは、被検者の足部から頭部へ向かう方向である。一般に、身長方向の加速度が立位時に負の値となるように加速度計が調整されている場合、臥位の身長方向の加速度は、立位や座位の身長方向の加速度と比べて大きい傾向にある。被検者の立位時であって動きがないときには、被検者の身長方向の加速度の大きさは１である。睡眠障害の場合、睡眠時間帯の活動が過度に多かったり、覚醒時間帯の活動が過度に少なかったりするため、被検者の身長方向の加速度ＴＡは睡眠障害の有無または程度を示しているといえる。
【００２２】
計測ステップでは、身長方向の加速度ＴＡを所定計測時間計測することが好ましい。所定計測時間とは、計測を行う合計時間を指す。所定計測時間は、１以上の睡眠時間帯と、１以上の覚醒時間帯が得られる時間長であることが好ましい。あるいは、所定計測時間は、２以上の覚醒時間帯と、２以上の睡眠時間帯が得られる時間長であってもよい。したがって、所定計測時間は２日間以上であることが好ましく、３日間以上であることがより好ましく、４日間以上であることがさらに好ましい。また、所定計測時間が長いほど信頼性の高いデータが取得できるが被検者への負担を考慮して、所定計測時間は、例えば１４日間以内、より好ましくは１０日間以内に設定することができる。なお、覚醒時間帯は、被検者の目が覚めている、つまり起きている時間帯である。睡眠時間帯は、被検者が眠っている時間帯であるが、詳しくは後述する。
【００２３】
（Ｂ）時間算出ステップ
上記方法は、下記条件（１）〜（３）により、負加速度ＮＡを算出して、第１臥位時間帯、間隙時間帯、第２臥位時間帯および睡眠時間帯を算出するステップを有する。これら時間帯の算出は、多数のデータを処理する必要があるため計算機等の機械により行われることが好ましい。
【００２４】
条件（１）負加速度ＮＡの算出
被検者の立位時においてＴＡ≧０の場合、ＮＡ＝（−１）×（ＴＡ）
被検者の立位時においてＴＡ＜０の場合、ＮＡ＝ＴＡ
【００２５】
負加速度ＮＡは、符号がマイナスの加速度であり、重力加速度ｇ（＝９．８ｍ／ｓ2）に対する比で表される（単位：無次元量）。負加速度の算出には、（Ａ）計測ステップで計測した身長方向の加速度ＴＡを用いる。
【００２６】
条件（２）第１臥位時間帯、間隙時間帯、第２臥位時間帯の算出
第１臥位時間帯Ｌm1：ＮＡ≧Ｃ１（Ｃ１は定数）が第１所定時間Ｔ1以上である時間帯
間隙時間帯Ｌsm：第１臥位時間帯Ｌm1が２以上あって、隣り合う２つの第１臥位時間帯Ｌm11、Ｌm12の間のＮＡ＜Ｃ１が第２所定時間Ｔ2以内である時間帯
第２臥位時間帯Ｌm2：隣り合う２つの第１臥位時間帯Ｌm11、Ｌm12と間隙時間帯Ｌsmを合計した時間帯
【００２７】
臥位時間帯は、臥位の姿勢、例えば、仰向け姿勢である仰臥位、横向きで寝た姿勢である側臥位、うつぶせ姿勢である伏臥位になった時間帯を示し、睡眠、うたた寝、昼寝などの時間を含む。上記方法では、臥位時間帯を第１臥位時間帯と第２臥位時間帯に分けて算出する。
【００２８】
第１臥位時間帯Ｌm1はＮＡ≧Ｃ１（Ｃ１は定数）が第１所定時間Ｔ1以上である時間帯である。負加速度ＮＡがＣ１以上とは、被検者が臥位であることを示している。第１臥位時間帯Ｌm1の算出では、睡眠時間帯の算出精度を高めるために第１所定時間Ｔ1によるしきい値を設けている。
【００２９】
第１所定時間Ｔ1は、例えば、好ましくは３０分以上、より好ましくは４５分以上、さらに好ましくは１時間以上に設定することができるが、２時間以下、または１時間半以下に設定することもできる。ＮＡ≧Ｃ１が第１所定時間Ｔ1未満である時間帯も実際には臥位であるといえるが、比較的短い時間のうたた寝や昼寝等、本来の睡眠と評価することができない時間を睡眠時間帯と算出することを防ぐために、ＮＡ≧Ｃ１が第１所定時間Ｔ1未満である時間帯を臥位時間帯とみなしていない。
【００３０】
第２臥位時間帯Ｌm2は、第１臥位時間帯Ｌm1が２以上あって、隣り合う２つの第１臥位時間帯Ｌm11、Ｌm12の間のＮＡ＜Ｃ１である間隙時間帯Ｌsmが第２所定時間Ｔ2以内の場合、隣り合う２つの第１臥位時間帯Ｌm11、Ｌm12と間隙時間帯Ｌsmを合計した時間帯である。ＮＡ＜Ｃ１は、臥位以外の姿勢を取っていることを示している。このように第２臥位時間帯を算出しているのは、第１臥位時間帯Ｌm1が細切れになっている場合、２つの第１臥位時間帯Ｌm11、Ｌm12の間の間隙時間帯Ｌsmも含めて１つの臥位時間帯（第２臥位時間帯Ｌm2）として算出するためである。これにより、被検者が睡眠時間帯に頻繁に臥位以外の姿勢を取っても、睡眠時間帯を算出しやすくなる。
【００３１】
第２所定時間Ｔ2は、例えば、好ましくは３０分以上、より好ましくは４５分以上、さらに好ましくは１時間以上に設定することができ、２時間以下、または１時間半以下に設定することもできる。また、第１所定時間Ｔ1と第２所定時間Ｔ2は同じであってもよく、異なっていてもよい。第１所定時間Ｔ1および第２所定時間Ｔ2がそれぞれ３０分以上２時間以下であることが好ましく、４５分以上１時間以下であることがより好ましい。
【００３２】
定数Ｃ１（単位：無次元量）の値は特に制限されないが、例えば−０．７５以上であることが好ましく、−０．６２以上であることがより好ましく、−０．５以上であることがさらに好ましい。定数Ｃ１は、−０．４以下、または−０．４５以下であっても許容される。
【００３３】
条件（３）睡眠時間帯の算出
睡眠時間帯：所定計測単位時間中、第１臥位時間帯Ｌm1と、第２臥位時間帯Ｌm2のうち最長の時間帯
【００３４】
睡眠時間帯とは、被検者が眠っている時間帯であり、所定計測単位時間中、第１臥位時間帯Ｌm1と、第２臥位時間帯Ｌm2のうち最長の時間帯を指す。被検者に自己申告してもらう場合、思い込みや思い違いが入り込む余地があるが、本発明では計測された被検者の身長方向の加速度ＴＡを用いているため、睡眠時間帯の算出を客観的にかつ精度よく行うことができる。
【００３５】
所定計測単位時間は、日毎の睡眠時間帯を推定するために設定される時間長である。所定計測単位時間は１２時間以上であることが好ましく、１８時間以上であることがより好ましく、また、２４時間以内であることが好ましい。つまり、睡眠時間帯の数は日毎にそれぞれ１つであることが好ましい。日勤者でも夜勤者でも１８時前後には覚醒しているのが一般的であるから、所定計測単位時間の始点は、１７時〜１９時に好ましく設定される。
【００３６】
上記条件（１）〜（３）において、第１臥位時間帯、間隙時間帯、第２臥位時間帯および睡眠時間帯を算出する場合、例えば、身長方向の加速度ＴＡや負加速度ＮＡで表される当該加速度は、加速度−時間波形に対してモルフォロジー演算を行った後の値であることが好ましい。モルフォロジー演算は、画像処理でノイズ除去のために用いられる。このため、加速度−時間波形に対してモルフォロジー演算を行った後の値を各条件式に適用すれば、得られた加速度のうち、所定計測時間と比較して短時間（例えば、所定計測時間の１／１５０時間以内）に変化する値は除去される。このため、加速度−時間波形の全体の輪郭が抽出されて、睡眠時間帯を算出しやすくなる。モルフォロジー演算は、身長方向の加速度ＴＡに対して行ってもよく、負加速度ＮＡに対して行ってもよい。
【００３７】
モルフォロジー演算に先立ち、身長方向の加速度ＴＡに対して二値化処理を行ってもよい。二値化処理では、例えば、負加速度ＮＡがしきい値Ｃ２（単位：無次元量）以上であれば負加速度ＮＡは０とみなされ、負加速度ＮＡがＣ２未満であれば１とみなされる。二値化処理により、モルフォロジー演算に要する処理時間を短縮することができる。しきい値Ｃ２の値は特に制限されないが、例えば−０．７５以上であることが好ましく、−０．６２以上であることがより好ましく、−０．５以上であることがさらに好ましい。しきい値Ｃ２は、−０．４以下、または−０．４５以下であっても許容される。なお、負加速度ＮＡのデータに対してモルフォロジー演算を行う例を説明したが、身長方向の加速度ＴＡに対してモルフォロジー演算を行った後、負加速度ＮＡを算出してもよい。
【００３８】
モルフォロジー演算は、例えば、線を太くする処理を行う膨張演算、線を細くする処理を行う収縮演算、収縮演算後に膨張演算を行うオープニング処理、膨張演算後に収縮演算を行うクロージング処理がある。モルフォロジー演算後の加速度を用いて睡眠時間帯を算出する場合、モルフォロジー演算が、所定の時間幅で行われるオープニング処理とクロージング処理の少なくともいずれか一方であることが好ましい。また、モルフォロジー演算として、オープニング処理およびクロージング処理の両方を行うことがより好ましい。膨張演算と収縮演算を組み合わせることによって、加速度−時間波形の全体の輪郭を抽出しやすくなるため、睡眠時間帯をより一層算出しやすくなる。
【００３９】
オープニング処理やクロージング処理を行う回数は特に限定されないが、オープニング処理、クロージング処理をそれぞれ１回以上実施することが好ましく、オープニング処理、クロージング処理をそれぞれ２回以上実施することがより好ましい。
【００４０】
膨張演算や収縮演算を行う際の時間幅についても適宜設定すればよいが、処理回数を重ねる毎に、処理時の時間幅を大きくすることが好ましい。このように、オープニング処理およびクロージング処理の時間幅を段階的に大きくすることで、所定計測時間と比較して短時間に変化した加速度のデータが除去されるのを抑止する。
【００４１】
（Ｃ）検出ステップ
上記方法は、睡眠時間帯のうち間隙時間帯の有無、または第１臥位時間帯と第２臥位時間帯の合計時間から睡眠時間帯の時間を除いた第３臥位時間帯の有無を検出するステップを有する。
【００４２】
検出項目の一つである睡眠時間帯のうち間隙時間帯の有無について説明する。睡眠時間帯中に間隙時間帯が有るとは、第１臥位時間帯ではなく、第２臥位時間帯が睡眠時間帯として算出されたということである。上述したとおり、間隙時間帯は臥位以外の姿勢を取っている時間帯であることから、睡眠時間帯中に間隙時間帯が有る場合、中途覚醒がある、つまり断眠傾向があると判別することができる。このように睡眠時間帯のうちの間隙時間帯の有無を検出することにより、客観的かつ容易に睡眠障害を判別することができる。以下で説明する、睡眠障害を判別するために用いられる各種時間帯の有無、個数、長さ等の算出は、多数のデータを処理する必要があるため計算機等の機械により行われることが好ましい。
【００４３】
所定計測時間において、睡眠時間帯のうち間隙時間帯の有無を検出することが好ましい。これにより、断眠傾向にある被検者を広くスクリーニングすることができる。判別精度を高めるためには、所定計測単位時間毎に、睡眠時間帯のうち間隙時間帯の有無を検出してもよい。全ての所定計測単位時間において、間隙時間帯が有る場合に、断眠傾向があると判別してもよい。
【００４４】
上記方法は、睡眠時間帯中の間隙時間帯の合計時間の長さを検出するステップを有していてもよい。また、上記方法は、睡眠時間帯中の間隙時間帯の個数を検出するステップを有していてもよい。これにより、断眠傾向の強さを判別することができる。
【００４５】
別の検出項目である第３臥位時間帯の有無について説明する。第３臥位時間帯は、睡眠時間帯以外に臥位姿勢を取っている時間である。ここで、第３臥位時間帯には、第２臥位時間帯を構成する第１臥位時間帯が含まれる。不規則な生活や、慢性疲労、うつ状態、不眠症などの症状がある場合、第３臥位時間帯が検出される。第３臥位時間帯が有る場合、睡眠が断片化傾向にあると判別してもよい。
【００４６】
所定計測時間内における第３臥位時間帯の有無を検出してもよい。これにより、睡眠が断片化傾向にある被検者を広くスクリーニングすることができる。判別精度を高めるために、所定計測単位時間毎に第３臥位時間帯の有無を検出してもよい。全ての所定計測単位時間において、第３臥位時間帯が有る場合に、断眠傾向があると判別してもよい。
【００４７】
睡眠時間帯のうち間隙時間帯の有無、および第３臥位時間帯の有無を検出することが好ましい。このように、睡眠時間帯のうち間隙時間帯の有無と、第３臥位時間帯の有無の両方を検出することによって、睡眠障害の判別精度を高めることができる。
【００４８】
上記方法は、第３臥位時間帯の合計時間の長さを検出するステップを有していてもよい。上記方法は、さらに、第３臥位時間帯の個数を検出するステップを有していることが好ましい。これにより、睡眠の断片化傾向の強さや、過眠の傾向を判別することができる。
【００４９】
上記方法は、第３臥位時間帯の合計時間と睡眠時間帯の時間を比較するステップを有していてもよい。第３臥位時間帯の合計時間が睡眠時間帯の時間より長い場合、睡眠の断片化傾向を判別することができる。第３臥位時間帯が複数ある場合、第３臥位時間帯のうち最長の時間帯の時間と、睡眠時間帯の時間の差を検出してもよい。
【００５０】
上記方法は、さらに、前記睡眠時間帯の開始前の第３所定時間Ｔ3以内にＮＡ≧Ｃ１であった時間帯（以下、「第４臥位時間帯」と称することがある）の有無を検出するステップを有していてもよい。このステップでは、睡眠前に第３所定時間Ｔ3以内に臥位姿勢であった時間帯の有無を検出している。第４臥位時間帯と睡眠時間帯は区別されるため、第４臥位時間帯と睡眠時間帯の間には臥位以外の姿勢であったＮＡ＜Ｃ１の時間帯がある。第４臥位時間帯が有る場合、例えば、寝付きが悪い、中途覚醒がある、または眠ってはいるが熟睡できていない傾向にあると判別することができる。
【００５１】
所定計測時間内における第４臥位時間帯の有無を検出してもよく、所定計測単位時間毎に第４臥位時間帯の有無を検出してもよい。
【００５２】
第３所定時間Ｔ3は、例えば、好ましくは３０分以上、より好ましくは４５分以上、さらに好ましくは１時間以上、また、好ましくは２時間以下、より好ましくは１時間半以下に設定することができる。第３所定時間Ｔ3は、第１所定時間Ｔ1未満の時間に設定されることが好ましい。また、第３所定時間Ｔ3は、睡眠時間帯の時間よりも少ない時間に設定されることが好ましい。
【００５３】
上記方法は、さらに、第４臥位時間帯の個数を検出するステップを有していてもよい。第４臥位時間帯の個数が多いほど、臥位と臥位以外の姿勢を交互に行っていたといえるため、睡眠が断片化傾向にあると判別することができる。
【００５４】
上記方法は、さらに、第４臥位時間帯の合計時間の長さを検出するステップを有していてもよい。第４臥位時間帯の合計時間が長いほど、寝付きが悪い、または睡眠が断片化傾向にあると判別することができる。
【００５５】
上記方法は、さらに、睡眠時間帯の終了後の第４所定時間Ｔ4以内にＮＡ≧Ｃ１であった時間帯（以下、「第５臥位時間帯」と称することがある）の有無を検出するステップを有していてもよい。このステップでは、睡眠後に第４所定時間Ｔ4以内に臥位姿勢であった時間帯の有無を検出している。睡眠時間帯と第５臥位時間帯は区別されるため、睡眠時間帯と第５臥位時間帯の間には臥位以外の姿勢であったＮＡ＜Ｃ１の時間帯がある。第５臥位時間帯が有ると検出された場合、例えば、寝起きが悪いといった起床困難の傾向があると判別することができる。第５臥位時間帯が無いと検出された場合、例えば、寝起きがよいと判別することができる。
【００５６】
第４所定時間Ｔ4は、例えば、好ましくは３０分以上、より好ましくは４５分以上、さらに好ましくは１時間以上、また、好ましくは２時間以下、より好ましくは１時間半以下に設定することができる。第４所定時間Ｔ4は、第１所定時間Ｔ1未満の時間に設定されることが好ましい。また、第４所定時間Ｔ4は、睡眠時間帯の時間よりも少ない時間に設定されることが好ましい。また、第３所定時間Ｔ3と第４所定時間Ｔ4は同じであってもよく、異なっていてもよい。
【００５７】
上記方法は、さらに、第５臥位時間帯の個数を検出するステップを有していてもよい。第５臥位時間帯の個数が多いほど、臥位と臥位以外の姿勢を交互に行っているといえるため、睡眠の断片化傾向が強いと判別できる。
【００５８】
上記方法は、さらに、第５臥位時間帯の合計時間の長さを検出するステップを有していてもよい。第５臥位時間帯の合計時間が長いほど、寝起きが悪い、または睡眠が断片化傾向にあると判別することができる。
【００５９】
２．睡眠障害を判別する装置
本発明の実施形態に係る睡眠障害を判別する装置は、睡眠時間帯を算出する時間算出部と、睡眠障害を判別する判別部を有している。本明細書では、「睡眠障害を判別する装置」を単に「装置」と称することがある。装置としては、各種データの送受信や各種演算処理を行うことが可能なパソコン、マイコン等の計算機（コンピュータ）、タブレット端末、スマートフォンが挙げられる。
【００６０】
図１は、本発明の実施の形態に係る装置１０の構成を示すブロック図である。図１に示すように、装置１０には、被検者の身長方向の加速度ＴＡを計測可能なセンサ５０から送信されたデータを受信する受信部１１が設けられていてもよい。また、装置１０とは別のセンサで身長方向の加速度ＴＡを計測してもよい。
【００６１】
センサ５０は、身長方向の加速度ＴＡを検出する計測部５１を備える。センサ５０の計測部５１では、身長方向の加速度ＴＡに相当する被検者のＸ軸、Ｙ軸、Ｚ軸方向の少なくともいずれか一方向の加速度を計測して時間算出部１２に送信することが好ましい。加速度を計測するセンサ５０の種類は特に限定されず、例えば、ピエゾ抵抗体型加速度センサ、圧電型加速度センサ、静電容量型加速度センサなどを用いることができる。ピエゾ抵抗体型加速度センサは、半導体を用いているため小型で量産化がしやすい。圧電型加速度センサは、比較的高い加速度の検出がしやすい。静電容量型加速度センサはピエゾ抵抗体型加速度センサに比べて高感度で、検出可能な加速度の範囲が広く、温度依存性も小さい。
【００６２】
受信部１１は、時間算出部１２や判別部１３に設けられてもよい。センサ５０から装置１０にデータを送受する方法としては、無線通信を用いてもよいし、有線通信を用いてもよい。特に無線通信でデータを送受する場合は、内蔵するバッテリーの持ちを向上させるために、複数個のデータをまとめて送信することにより送受信の頻度を下げることが好ましい。
【００６３】
時間算出部１２は、受信部１１を介して、センサ５０から送信された被検者の身長方向の加速度ＴＡのデータを受信する。時間算出部１２は、下記条件（１）〜（３）により、被検者の身長方向の加速度ＴＡから負加速度ＮＡを算出して、第１臥位時間帯、間隙時間帯、第２臥位時間帯および睡眠時間帯を算出する。詳細には、第１臥位時間帯、間隙時間帯、第２臥位時間帯および睡眠時間帯は、「１．睡眠障害を判別する方法」に記載したとおり算出することができる。時間算出部１２では、下記条件（１）〜（３）により、睡眠時間帯の算出を客観的にかつ精度よく行うことができる。
［条件：
（１）負加速度ＮＡの算出
被検者の立位時においてＴＡ≧０の場合、ＮＡ＝（−１）×（ＴＡ）
被検者の立位時においてＴＡ＜０の場合、ＮＡ＝ＴＡ
（２）第１臥位時間帯、間隙時間帯、第２臥位時間帯の算出
第１臥位時間帯Ｌm1：ＮＡ≧Ｃ１（Ｃ１は定数）が第１所定時間Ｔ1以上である時間帯
間隙時間帯Ｌsm：前記第１臥位時間帯Ｌm1が２以上あって、隣り合う２つの第１臥位時間帯Ｌm11、Ｌm12の間のＮＡ＜Ｃ１が第２所定時間Ｔ2以内である時間帯
第２臥位時間帯Ｌm2：前記隣り合う２つの第１臥位時間帯Ｌm11、Ｌm12と前記間隙時間帯Ｌsmを合計した時間帯
（３）睡眠時間帯の算出
睡眠時間帯：所定計測単位時間中、前記第１臥位時間帯Ｌm1と、前記第２臥位時間帯Ｌm2のうち最長の時間帯］
【００６４】
時間算出部１２では、前記睡眠時間帯の開始前の第３所定時間Ｔ3以内にＮＡ≧Ｃ１であった時間帯（第４臥位時間帯）を算出してもよい。これにより、判別部１３で第３臥位時間帯の有無、合計時間、個数の少なくともいずれか１つを検出することができる。
【００６５】
時間算出部１２では、前記睡眠時間帯の終了後の第４所定時間Ｔ4以内にＮＡ≧Ｃ１であった時間帯（第５臥位時間帯）を算出してもよい。これにより、判別部１３で第４臥位時間帯の有無、合計時間、個数の少なくともいずれか１つを検出することができる。
【００６６】
図示していないが、時間算出部１２は、モルフォロジー演算部を有していてもよい。モルフォロジー演算部では、負加速度−時間波形のノイズを除去するためにモルフォロジー演算を行うことができる。時間算出部１２は、モルフォロジー演算部での処理前に、所定値をしきい値として負加速度の値の大きさを二値化する二値化処理部を有していてもよい。モルフォロジー演算や二値化処理は、上述した方法で行うことができる。
【００６７】
図示していないが、装置１０は、データの異常値を除去する機能を有していてもよい。すなわち、装置１０は、異常値検出部と異常値除去部を備えていてもよい。異常値検出部および異常値除去部は、時間算出部１２の前段または判別部１３の前段に好ましく設けることができる。これにより、異常値が除去されたデータを判別部１３に送信することができるため、精度が高い判別指標を作成することができる。
【００６８】
判別部１３は、時間算出部１２から送信されたデータに基づき、睡眠時間帯のうち間隙時間帯の有無と、第１臥位時間帯と第２臥位時間帯の合計から睡眠時間帯の時間を除いた第３臥位時間帯の有無の少なくともいずれか一方を検出する。睡眠時間帯のうち間隙時間帯が有る場合、睡眠途中の覚醒、つまり断眠傾向があると判別することができる。第３臥位時間帯が有る場合、睡眠が断片化傾向にあると判別することができる。このように判別部１３では、簡単に測定可能なパラメータである被検者の臥位姿勢の時間から算出される間隙時間帯の有無または第３臥位時間帯の有無を検出することにより、客観的かつ容易に睡眠障害を判別することができる。
【００６９】
判別部１３では、間隙時間帯の有無または第３臥位時間帯の有無以外を検出してもよい。判別部が、睡眠時間帯の開始前の第３所定時間Ｔ3以内にＮＡ≧Ｃ１であった時間帯（第４臥位時間帯）の有無、睡眠時間帯の終了後の第４所定時間Ｔ4以内にＮＡ≧Ｃ１であった時間帯（第５臥位時間帯）の有無、第３臥位時間帯の合計時間の長さの少なくともいずれか１つを検出するものであってもよい。これにより、睡眠障害の判別精度をより高めることができる。
【００７０】
また、判別部１３は、間隙時間帯の個数または合計時間の長さ、第３臥位時間帯の個数、第４臥位時間帯または第５臥位時間帯の個数または合計時間の長さ等、「１．睡眠障害を判別する方法」で挙げたものを検出することができる。これにより、睡眠障害の判別精度を一層高めることができる。
【００７１】
図示していないが、計算機１には、判別部１３での判別結果を被検者等に通知する通知部が設けられていてもよい。通知方法は、音声、静止画、動画など特に限定されない。医師やカウンセラーなどの専門家、被検者やその家族等、通知対象者の専門知識レベルに応じて通知内容を変えることも可能である。計算機１とは別の通知用機器に判別結果を送信し、被検者等へ結果を通知してもよい。通知用機器としては、例えば外付けモニタ、携帯電話、スマートフォン、タブレット端末、スピーカー、イヤホンなどが挙げられる。
【実施例】
【００７２】
（実施例１）第１所定時間および定数Ｃ１の好ましい値の検証
ウェアラブル心拍センサ（ｍｙＢｅａｔ（登録商標）ＷＨＳ−１、ユニオンツール社製）を被検者（身長１６２ｃｍ、体重４６ｋｇ、女性健常者）の胸部に装着し、２０秒ごとに各種姿勢をとった時のＹ軸方向の加速度を測定した。結果を図２に示す。座位、立位、歩行、座位で左右に動くという姿勢では、Ｙ軸方向の加速度−０．５未満となる傾向があるが、臥位、立位からしゃがんだときの姿勢、立位からうずくまったときの姿勢は、Ｙ軸方向の加速度−０．５以上となる傾向にあった。この結果から、定数Ｃ１が−０．５以上であり、第１所定時間が３０分以上であることが好ましいことが分かった。したがって、定数Ｃ１を−０．５以上にすることにより、臥位、立位からしゃがんだときの姿勢、立位からうずくまったときの姿勢の時間帯を好適に算出することができる。また、第１所定時間が３０分以上であれば、第１臥位時間帯から立位からしゃがんだ時の姿勢やうずくまった時の姿勢を除くことができることが分かった。
【００７３】
（実施例２）睡眠障害を判別する方法の適用例
米国精神医学会が作成したＤＳＭ−５によりうつ病と診断されたうつ病患者１８名、健常者１８名の計３６名を被検者とした。ウェアラブル心拍センサ（ｍｙＢｅａｔ（登録商標）ＷＨＳ−１、ユニオンツール社製）を被検者の人体胸部に装着し、被検者の身長方向の加速度ＴＡに相当するＹ軸方向の加速度を７２時間計測した。所定計測単位時間は２４時間とした。
【００７４】
下記条件（１）〜（３）により、計測した加速度ＴＡから負加速度ＮＡを算出して、第１臥位時間帯、間隙時間帯、第２臥位時間帯を算出した。Ｃ１＝−０．５、第１所定時間Ｔ1＝１時間、第２所定時間Ｔ2＝１時間、第３所定時間Ｔ3＝１時間、第４所定時間Ｔ4＝１時間に設定した。
［条件：
（１）負加速度ＮＡの算出
被検者の立位時においてＴＡ≧０の場合、ＮＡ＝（−１）×（ＴＡ）
被検者の立位時においてＴＡ＜０の場合、ＮＡ＝ＴＡ
（２）第１臥位時間帯、間隙時間帯、第２臥位時間帯の算出
第１臥位時間帯Ｌm1：ＮＡ≧Ｃ１（Ｃ１は定数）が第１所定時間Ｔ1以上である時間帯
間隙時間帯Ｌsm：前記第１臥位時間帯Ｌm1が２以上あって、隣り合う２つの第１臥位時間帯Ｌm11、Ｌm12の間のＮＡ＜Ｃ１が第２所定時間Ｔ2以内である時間帯
第２臥位時間帯Ｌm2：前記隣り合う２つの第１臥位時間帯Ｌm11、Ｌm12と前記間隙時間帯Ｌsmを合計した時間帯
（３）睡眠時間帯の算出
睡眠時間帯：所定計測単位時間中、前記第１臥位時間帯Ｌm1と、前記第２臥位時間帯Ｌm2のうち最長の時間帯］
【００７５】
次いで、所定計測単位毎の睡眠時間帯のうち間隙時間帯の有無、個数および時間、第３臥位時間帯の有無および個数、睡眠前１時間以内にＮＡ≧Ｃ１であった時間帯（第４臥位時間帯）の有無および個数、睡眠後１時間以内にＮＡ≧Ｃ１であった時間帯（第５臥位時間帯）の有無および個数を検出した。結果を表１に示す。
【００７６】
【表１】
2019047981.tif 000002
【００７７】
うつ病患者は健常者よりも間隙時間帯が多く、すなわち中途覚醒が起こりやすい傾向が見られた。また、うつ病患者は健常者と比較して第３臥位時間帯がある傾向が見られた。特に、男性健常者に対して男性うつ病患者は有意に第３臥位時間帯がある傾向が見られた。うつ病患者は健常者と比較して、第４臥位時間帯および第５臥位時間帯がある傾向が見られた。
【符号の説明】
【００７８】
１：計算機
１０：睡眠障害を判別する装置
１１：受信部
１２：時間算出部
１３：判別部
５０：センサ
５１：計測部
【図１】
2019047981.tif 000003
【図２】
2019047981.tif 000004